(57)【要約】  立体画像表示装置は、表示面の外側に向かう第１方向に第１赤外線を発光する第１発光部と、第１方向と反対の第２方向に第２赤外線を発光する第２発光部と、表示面の第１方向側に位置する前面側のユーザのための右目用画像および左目用画像を交互に表示させる表示制御部と、表示面の第１方向側にユーザが位置する場合、第１赤外線により伝送される第１制御信号により前面側のユーザのための右目用画像を第１方向側のユーザの右目で視認可能にし、前面側のユーザのための左目用画像を当該第１方向側のユーザの左目で視認可能にするとともに、表示面の第２方向側にユーザが位置する場合、第２赤外線により伝送される第２制御信号により前面側のユーザのための右目用画像を第２方向側のユーザの左目で視認可能にし、前面側のユーザのための左目用画像を当該第２方向側のユーザの右目で視認可能にする視認制御部とを備える。
2013057818.tif 000002
【特許請求の範囲】
【請求項１】
ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示方法であって、
表示面を上方に向けて設置された表示部と、
前記表示面の平面視における当該表示面の外側に向かう第１方向に指向性を持たせて第１赤外線を発光する第１発光部と、
前記平面視における前記第１方向と反対の第２方向に指向性を持たせて第２赤外線を発光する第２発光部と、を用い、
前記表示面の前記第１方向側に位置する前面側のユーザのための右目用画像および左目用画像を前記表示面に交互に表示させるステップと、
前記表示面の前記第１方向側にユーザが位置する場合においては、前記第１赤外線により伝送される第１制御信号により、前記前面側のユーザのための右目用画像を当該第１方向側のユーザの右目で視認可能にし、前記前面側のユーザのための左目用画像を当該第１方向側のユーザの左目で視認可能にするとともに、前記表示面の前記第２方向側にユーザが位置する場合においては、前記第２赤外線により伝送される第２制御信号により、前記前面側のユーザのための右目用画像を当該第２方向側のユーザの左目で視認可能にし、前記前面側のユーザのための左目用画像を当該第２方向側のユーザの右目で視認可能にする視認制御ステップと、を有することを特徴とする立体画像表示方法。
【請求項２】
請求項１に記載の立体画像表示方法において、
前記視認制御ステップは、
前記前面側のユーザのための右目用画像を表示するタイミングで前記左目シャッタのみを閉じ、前記前面側のユーザのための左目用画像を表示するタイミングで前記右目シャッタのみを閉じる旨の前記第１制御信号、および、前記前面側のユーザのための右目用画像を表示するタイミングで前記右目シャッタのみを閉じ、前記前面側のユーザのための左目用画像を表示するタイミングで前記左目シャッタのみを閉じる旨の前記第２制御信号を生成するステップと、
前記第１赤外線を利用して前記第１制御信号を伝送し、前記第２赤外線を利用して前記第２制御信号を伝送するステップと、を有することを特徴とする立体画像表示方法。
【請求項３】
請求項１に記載の立体画像表示方法において、
前記平面視における前記第１方向と直交する第３方向に指向性を持たせて第３赤外線を発光する第３発光部を用い、
前記視認制御ステップは、
前記表示面の前記第３方向側にユーザが位置する場合においては、前記第３赤外線により伝送される第３制御信号により、前記前面側のユーザのための右目用画像および第１左目用画像を前記第３方向側のユーザの両目で視認可能にすることを含むことを特徴とする立体画像表示方法。
【請求項４】
請求項２に記載の立体画像表示方法において、
前記平面視における前記第１方向と直交する第３方向に指向性を持たせて第３赤外線を発光する第３発光部を用い、
前記視認制御ステップは、
前記前面側のユーザのための右目用画像を表示するタイミングおよび前記左目用画像を表示するタイミングの両方において、前記右目シャッタおよび前記左目シャッタの両方を開く旨の第３制御信号を生成するステップと、
前記第３赤外線を利用して前記第３制御信号を伝送するステップと、を有することを特徴とする立体画像表示方法。
【請求項５】
ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示装置であって、
表示面を上方に向けて設置された表示部と、
前記表示面の平面視における当該表示面の外側に向かう第１方向に指向性を持たせて第１赤外線を発光する第１発光部と、
前記平面視における前記第１方向と反対の第２方向に指向性を持たせて第２赤外線を発光する第２発光部と、
前記表示面の前記第１方向側に位置する前面側のユーザのための右目用画像および左目用画像を前記表示面に交互に表示させる表示制御部と、
前記表示面の前記第１方向側にユーザが位置する場合においては、前記第１赤外線により伝送される第１制御信号により、前記前面側のユーザのための右目用画像を前記第１方向側のユーザの右目で視認可能にし、前記前面側のユーザのための左目用画像を当該第１方向側のユーザの左目で視認可能にするとともに、前記表示面の前記第２方向側にユーザが位置する場合においては、前記第２赤外線により伝送される第２制御信号により、前記前面側のユーザのための右目用画像を前記第２方向側のユーザの左目で視認可能にし、前記前面側のユーザのための左目用画像を当該第２方向側のユーザの右目で視認可能にする視認制御部と、を備えることを特徴とする立体画像表示装置。
【請求項６】
請求項５に記載の立体画像表示装置において、
前記視認制御部は、
前記前面側のユーザのための右目用画像を表示するタイミングで前記左目シャッタのみを閉じ、前記前面側のユーザのための左目用画像を表示するタイミングで前記右目シャッタのみを閉じる旨の前記第１制御信号、および、前記前面側のユーザのための右目用画像を表示するタイミングで前記右目シャッタのみを閉じ、前記前面側のユーザのための左目用画像を表示するタイミングで前記左目シャッタのみを閉じる旨の前記第２制御信号を生成する信号生成部と、
前記第１赤外線を利用して前記第１制御信号を伝送し、前記第２赤外線を利用して前記第２制御信号を伝送する信号出力部と、を備えることを特徴とする立体画像表示装置。
【請求項７】
請求項５に記載の立体画像表示装置において、
前記平面視における前記第１方向と直交する第３方向に指向性を持たせて第３赤外線を発光する第３発光部を備え、
前記視認制御部は、
前記表示面の前記第３方向側にユーザが位置する場合においては、前記第３赤外線により伝送される第３制御信号により、前記前面側のユーザのための右目用画像および第１左目用画像を前記第３方向側のユーザの両目で視認可能にすることを特徴とする立体画像表示装置。
【請求項８】
請求項６に記載の立体画像表示装置において、
前記平面視における前記第１方向と直交する第３方向に指向性を持たせて第３赤外線を発光する第３発光部を備え、
前記信号生成部は、
前記前面側のユーザのための右目用画像を表示するタイミングおよび前記左目用画像を表示するタイミングの両方において、前記右目シャッタおよび前記左目シャッタの両方を開く旨の第３制御信号を生成し、
前記信号出力部は、前記第３赤外線を利用して前記第３制御信号を伝送することを特徴とする立体画像表示装置。
【請求項９】
立体画像表示装置により交互に表示される左右の視差を有する右目用画像および左目用画像の視認に利用され、ユーザに立体画像を認識させる立体画像視認用眼鏡であって、
前記ユーザの右目と対向する右目シャッタと、
当該ユーザの左目と対向する左目シャッタと、
制御信号を受信して、当該制御信号に基づいて前記右目シャッタおよび前記左目シャッタを制御するシャッタ制御部と、を備え、
前記シャッタ制御部は、
所定のタイミングで前記右目シャッタのみを閉じる旨の制御信号を受信すると、当該所定のタイミングで前記右目シャッタのみを閉じ、
所定のタイミングで前記左目シャッタのみを閉じる旨の制御信号を受信すると、当該所定のタイミングで前記左目シャッタのみを閉じ、
前記右目シャッタのみを閉じる旨の制御信号および前記左目シャッタのみを閉じる旨の制御信号の両方を受信できない場合、前記右目シャッタおよび前記左目シャッタの両方を開くことを特徴とする立体画像視認用眼鏡。
【発明の詳細な説明】
【技術分野】
【０００１】
本発明は、立体画像表示方法、立体画像表示装置、および、立体画像視認用眼鏡に関する。
【背景技術】
【０００２】
従来、左右の視差を有する右目用画像および左目用画像を利用して、ユーザに立体画像（３Ｄ（３−Dimension）画像）を視認させる、いわゆるフレームシーケンシャル方式による立体画像の表示方法が知られている（例えば、特許文献１参照）。
このフレームシーケンシャル方式では、表示部が右目用画像と左目用画像とを交互に表示し、立体画像視認用の眼鏡が制御信号に基づいて右目用シャッタと左目用シャッタとを交互に開閉する。このように表示部と眼鏡とが動作すると、ユーザは、右目で右目用画像を見て、左目で左目用画像を見ることができ、左右の視差を脳で立体化することによって、立体画像を認識することができる。
【先行技術文献】
【特許文献】
【０００３】
【特許文献１】特開２０１１−１９１３４７号公報
【発明の概要】
【発明が解決しようとする課題】
【０００４】
ところで、近年、表示面が上方を向くテーブル型の表示装置が普及しており、このような表示装置においても、フレームシーケンシャル方式を用いて、ユーザに立体画像を視認させることが考えられる。
しかしながら、このようにフレームシーケンシャル方式で立体画像を表示させる場合において、表示装置を挟んだ対向する位置に立つ２人のユーザが表示面の画像を見ると、以下のような問題が生じる。
すなわち、一方のユーザは、右目で右目用画像を見て、左目で左目用画像を見ることとなる。このため、当該一方のユーザが認識する立体画像の奥行きや凹凸などの立体感は、立体画像で表現したい立体感と一致する。これに対して、他方のユーザは、左目で右目用画像を見て、左目で右目用画像を見ることとなる。このため、当該他方のユーザが認識する立体感は、立体画像で表現したい立体感と逆になってしまう。【０００５】
本発明は、異なる位置から表示面を見るユーザに対して適切に立体画像を視認させることが可能な立体画像表示方法、立体画像表示装置、および、立体画像視認用眼鏡を提供することを１つの目的とする。
【課題を解決するための手段】
【０００６】
本発明の立体画像表示方法は、ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示方法であって、表示面を上方に向けて設置された表示部と、前記表示面の平面視における当該表示面の外側に向かう第１方向に指向性を持たせて第１赤外線を発光する第１発光部と、前記平面視における前記第１方向と反対の第２方向に指向性を持たせて第２赤外線を発光する第２発光部と、を用い、前記表示面の前記第１方向側に位置する前面側のユーザのための右目用画像および左目用画像を前記表示面に交互に表示させるステップと、前記表示面の前記第１方向側にユーザが位置する場合においては、前記第１赤外線により伝送される第１制御信号により、前記前面側のユーザのための右目用画像を当該第１方向側のユーザの右目で視認可能にし、前記前面側のユーザのための左目用画像を当該第１方向側のユーザの左目で視認可能にするとともに、前記表示面の前記第２方向側にユーザが位置する場合においては、前記第２赤外線により伝送される第２制御信号により、前記前面側のユーザのための右目用画像を当該第２方向側のユーザの左目で視認可能にし、前記前面側のユーザのための左目用画像を当該第２方向側のユーザの右目で視認可能にする視認制御ステップと、を有することを特徴とする。【０００７】
本発明の立体画像表示装置は、ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示装置であって、表示面を上方に向けて設置された表示部と、前記表示面の平面視における当該表示面の外側に向かう第１方向に指向性を持たせて第１赤外線を発光する第１発光部と、前記平面視における前記第１方向と反対の第２方向に指向性を持たせて第２赤外線を発光する第２発光部と、前記表示面の前記第１方向側に位置する前面側のユーザのための右目用画像および左目用画像を前記表示面に交互に表示させる表示制御部と、前記表示面の前記第１方向側にユーザが位置する場合においては、前記第１赤外線により伝送される第１制御信号により、前記前面側のユーザのための右目用画像を前記第１方向側のユーザの右目で視認可能にし、前記前面側のユーザのための左目用画像を当該第１方向側のユーザの左目で視認可能にするとともに、前記表示面の前記第２方向側にユーザが位置する場合においては、前記第２赤外線により伝送される第２制御信号により、前記前面側のユーザのための右目用画像を前記第２方向側のユーザの左目で視認可能にし、前記前面側のユーザのための左目用画像を当該第２方向側のユーザの右目で視認可能にする視認制御部と、を備えることを特徴とする。【０００８】
本発明の立体画像視認用眼鏡は、立体画像表示装置により交互に表示される左右の視差を有する右目用画像および左目用画像の視認に利用され、ユーザに立体画像を認識させる立体画像視認用眼鏡であって、前記ユーザの右目と対向する右目シャッタと、当該ユーザの左目と対向する左目シャッタと、制御信号を受信して、当該制御信号に基づいて前記右目シャッタおよび前記左目シャッタを制御するシャッタ制御部と、を備え、前記シャッタ制御部は、所定のタイミングで前記右目シャッタのみを閉じる旨の制御信号を受信すると、当該所定のタイミングで前記右目シャッタのみを閉じ、所定のタイミングで前記左目シャッタのみを閉じる旨の制御信号を受信すると、当該所定のタイミングで前記左目シャッタのみを閉じ、前記右目シャッタのみを閉じる旨の制御信号および前記左目シャッタのみを閉じる旨の制御信号の両方を受信できない場合、前記右目シャッタおよび前記左目シャッタの両方を開くことを特徴とする。
【図面の簡単な説明】
【０００９】
【図１】本発明の第１実施形態に係る立体画像表示システムの斜視図。
【図２】前記立体画像表示システムの概略構成を示すブロック図。
【図３】前記立体画像表示システムを構成する立体画像表示装置の動作を示すタイミングチャート。
【図４】前記立体画像表示システムを構成する立体画像視認用眼鏡の動作を示すフローチャート。
【図５】本発明の第２実施形態に係る立体画像表示システムの斜視図。
【図６】前記立体画像表示システムの概略構成を示すブロック図。
【図７】前記立体画像表示システムを構成する立体画像表示装置および立体画像視認用眼鏡の動作を示すタイミングチャート。
【図８】本発明の変形例に係る立体画像視認用眼鏡の動作を示すフローチャート。
【発明を実施するための形態】
【００１０】
［第１実施形態］
まず、本発明の第１実施形態について図面に基づいて説明する。
｛立体画像視認システムの構成｝
図１において、立体画像視認システム１は、左右の視差を有する右目用画像Ｐｍおよび左目用画像Ｐｈを利用してユーザＵに立体画像を視認させる。この立体画像視認システム１は、図１および図２に示すように、ユーザＵが装着する立体画像視認用眼鏡２と、右目用画像Ｐｍおよび左目用画像Ｐｈを表示する立体画像表示装置３とを備える。
【００１１】
立体画像視認用眼鏡２は、ユーザＵの頭部に装着される装着部２１を備える。装着部２１は、ユーザＵの右目と対向する右目シャッタ２２と、左目と対向する左目シャッタ２３と、受光部２４と、シャッタ制御部２５とを備える。
受光部２４は、例えば装着部２１の正面に配置され、シャッタ制御部２５の制御により、立体画像表示装置３が発光する後述する第１赤外線としての前面側赤外線Ｌ１、第２赤外線としての後面側赤外線Ｌ２、第３赤外線としての右面側赤外線Ｌ３、および、第４赤外線としての左面側赤外線Ｌ４を受光する。
シャッタ制御部２５は、前面側赤外線Ｌ１、後面側赤外線Ｌ２、右面側赤外線Ｌ３、および、左面側赤外線Ｌ４を利用して出力される制御信号に基づいて、右目シャッタ２２および左目シャッタ２３の開閉を制御する。
【００１２】
立体画像表示装置３は、表示面３１１が上方を向くテーブル型のものである。この立体画像表示装置３は、表示部３１と、発光部３２と、記憶部３３と、制御部３４とを備える。
【００１３】
表示部３１は、四角形状の表示面３１１を備える。表示部３１は、表示面３１１を上方に向けて長方形状の枠体３１２内に収容される。この枠体３１２は、長方形状の一方の長辺を構成する前面部３１３と、他方の長辺を構成する後面部３１４と、一方の短辺を構成する右面部３１５と、他方の短辺を構成する左面部３１６とを備える。
【００１４】
発光部３２は、前面部３１３に設けられた４個の第１発光部としての前面側発光部３２１と、後面部３１４に設けられた４個の第２発光部としての後面側発光部３２２と、右面部３１５に設けられた４個の第３発光部としての右面側発光部３２３と、左面部３１６に設けられた４個の第３発光部としての左面側発光部３２４とを備える。なお、図２においては、前面側発光部３２１、後面側発光部３２２、右面側発光部３２３、および、左面側発光部３２４を、それぞれ１個ずつ図示する。
前面側発光部３２１、後面側発光部３２２、右面側発光部３２３、および、左面側発光部３２４は、赤外線ＬＥＤ（Light-Emitting Diode）であり、制御部３４の制御により、指向性を有する前面側赤外線Ｌ１、後面側赤外線Ｌ２、右面側赤外線Ｌ３、および、左面側赤外線Ｌ４をそれぞれ発光する。この前面側赤外線Ｌ１、後面側赤外線Ｌ２、右面側赤外線Ｌ３、および、左面側赤外線Ｌ４は、互いに重ならないように発光する。
【００１５】
具体的に、前面側赤外線Ｌ１および後面側赤外線Ｌ２は、図１に示すように、平面視において（上から見たときにおいて）光軸が略同一線上に位置するように、かつ、互いに離れる方向に進行するように発光する。右面側赤外線Ｌ３および左面側赤外線Ｌ４は、平面視において光軸が略同一線上に位置するように、かつ、互いに離れる方向に進行するように発光する。また、前面側赤外線Ｌ１および右面側赤外線Ｌ３の光軸は、互いに直交する。さらに、前面側赤外線Ｌ１、後面側赤外線Ｌ２、右面側赤外線Ｌ３、および、左面側赤外線Ｌ４は、側面視において（横から見たときにおいて）、斜め上方に進行するように発光する。
なお、前面側赤外線Ｌ１の進行方向が本発明の第１方向に該当し、後面側赤外線Ｌ２の進行方向が本発明の第２方向に該当し、右面側赤外線Ｌ３および左面側赤外線Ｌ４の進行方向が本発明の第３方向に該当する。
【００１６】
記憶部３３は、右目用画像Ｐｍおよび左目用画像Ｐｈを表示させるための画像データを記憶する。
制御部３４は、記憶部３３に記憶されたプログラムおよびデータをＣＰＵ（Central Processing Unit）が処理することにより構成される、表示制御部３４１と、視認制御部３４２とを備える。
【００１７】
表示制御部３４１は、記憶部３３に記憶された画像データに基づいて、右目用画像Ｐｍおよび左目用画像Ｐｈを交互に表示面３１１に表示させる。ここで、記憶部３３が予め右目用画像Ｐｍおよび左目用画像Ｐｈにそれぞれ対応する画像データを記憶して、当該画像データに基づいて、表示制御部３４１が右目用画像Ｐｍおよび左目用画像Ｐｈを交互に表示させてもよい。また。記憶部３３が記憶する１つの画像に対応する画像データに基づいて、図示しない画像生成部が左右の視差を有する右目用画像Ｐｍおよび左目用画像Ｐｈを生成し、表示制御部３４１が右目用画像Ｐｍおよび左目用画像Ｐｈを交互に表示させてもよい。さらに、表示制御部３４１は、右目用画像Ｐｍおよび左目用画像Ｐｈの切り替えを、例えば１／１２０秒ごとに行う。
なお、表示制御部３４１は、表示面３１１に対して前面部３１３側に位置する前面側ユーザＵ１が立体画像の立体感を正しく認識できるように、前面側ユーザＵ１のための右目用画像Ｐｍおよび左目用画像Ｐｈを表示する。すなわち、凹凸や上下関係あるいは前後関係を有する物体を表す立体画像の右目用画像Ｐｍおよび左目用画像Ｐｈを表示する場合、表示制御部３４１は、前面側ユーザＵ１が物体の凹凸や上下関係あるいは前後関係を正しく認識できるように表示する。また、右目用画像Ｐｍおよび左目用画像Ｐｈは、本発明における、表示面の第１方向側に位置する前面側のユーザのための右目用画像および左目用画像にそれぞれ該当する。
【００１８】
視認制御部３４２は、前面側ユーザＵ１の右目で右目用画像Ｐｍを視認可能にし、当該前面側ユーザＵ１の左目で左目用画像Ｐｈを視認可能にする。また、視認制御部３４２は、表示面３１１に対して後面部３１４側に位置するユーザＵ（後面側ユーザＵ２）の左目で右目用画像Ｐｍを視認可能にし、当該後面側ユーザＵ２の右目で左目用画像Ｐｈを視認可能にする。
この視認制御部３４２は、信号生成部３４３と、信号出力部３４４とを備える。
【００１９】
信号生成部３４３は、右目用画像Ｐｍを表示するタイミングで左目シャッタ２３のみを閉じ、左目用画像Ｐｈを表示するタイミングで右目シャッタ２２のみを閉じる旨の第１制御信号としての前面側制御信号を生成する。また、信号生成部３４３は、右目用画像Ｐｍを表示するタイミングで右目シャッタ２２のみを閉じ、左目用画像Ｐｈを表示するタイミングで左目シャッタ２３のみを閉じる旨の第２制御信号としての後面側制御信号を生成する。さらに、信号生成部３４３は、右目用画像Ｐｍを表示するタイミングおよび左目用画像Ｐｈを表示するタイミングの両方において、右目シャッタ２２および左目シャッタ２３の両方を開く旨の第３制御信号としての右面側制御信号および左面側制御信号を生成する。すなわち、信号生成部３４３は、常時右目シャッタ２２および左目シャッタ２３の両方を開く旨の右面側制御信号および左面側制御信号を生成する。
【００２０】
信号出力部３４４は、前面側赤外線Ｌ１を利用して前面側制御信号を出力する。また、信号出力部３４４は、後面側赤外線Ｌ２を利用して後面側制御信号を出力する。さらに、信号出力部３４４は、右面側赤外線Ｌ３を利用して右面側制御信号を、左面側赤外線Ｌ４を利用して左面側制御信号をそれぞれ出力する。すなわち、信号出力部３４４は、前面側制御信号、後面側制御信号、右面側制御信号、および、左面側制御信号を、表示面３１１の平面視における互いに直交する方向に出力する。
このように信号出力部３４４が制御信号を出力することによって、表示面３１１の前面部３１３側に位置するユーザＵ（前面側ユーザＵ１）の立体画像視認用眼鏡２（第１立体画像視認用眼鏡２Ａ）が前面側制御信号のみを受信し、後面部３１４側に位置するユーザＵ（後面側ユーザＵ２）の立体画像視認用眼鏡２（第２立体画像視認用眼鏡２Ｂ）が後面側制御信号のみを受信し、右面部３１５側に位置するユーザＵの立体画像視認用眼鏡２が右面側制御信号のみを受信し、左面部３１６側に位置するユーザＵの立体画像視認用眼鏡２が左面側制御信号のみを受信することができる。
【００２１】
｛立体画像視認システムの作用｝
次に、立体画像視認システム１の作用を説明する。
なお、ここでは、立体画像視認システム１によって、雲Ｑ１の上を飛行機Ｑ２が飛行している様子を表す立体画像、すなわち飛行機Ｑ２が雲Ｑ１よりも上方に位置する立体画像を、ユーザＵに認識させる場合を例示して説明する。
【００２２】
まず、立体画像視認システム１を構成する立体画像表示装置３の表示制御部３４１は、立体画像を表示する旨の操作を検出すると、図３に示すように、表示面３１１に右目用画像Ｐｍおよび左目用画像Ｐｈを交互に表示すると判断する。すなわち、時刻Ｔ（Ｎ−１）（Ｎは１以上の整数）から時刻Ｔ（Ｎ）の間に、第Ｎ立体画像を構成する右目用画像Ｐｍを表示し、時刻Ｔ（Ｎ）から時刻Ｔ（Ｎ＋１）の間に、第Ｎ立体画像を構成する左目用画像Ｐｈを表示すると判断する。
【００２３】
一方で、立体画像表示装置３は、右目用画像Ｐｍ、左目用画像Ｐｈを表示する前に、信号生成部３４３によって前面側制御信号、後面側制御信号、右面側制御信号、および、左面側制御信号を生成する。
具体的に、信号生成部３４３は、右目用画像Ｐｍが表示される時刻Ｔ（Ｎ−１）から時刻Ｔ（Ｎ）の間に、左目シャッタ２３を閉じるとともに右目シャッタ２２を開き、左目用画像Ｐｈが表示される時刻Ｔ（Ｎ）から時刻Ｔ（Ｎ＋１）の間に、左目シャッタ２３を閉じるとともに右目シャッタ２２を開く旨の前面側制御信号を生成する。
また、信号生成部３４３は、右目用画像Ｐｍが表示される時刻Ｔ（Ｎ−１）から時刻Ｔ（Ｎ）の間に、右目シャッタ２２を閉じるとともに左目シャッタ２３を開き、左目用画像Ｐｈが表示される時刻Ｔ（Ｎ）から時刻Ｔ（Ｎ＋１）の間に、右目シャッタ２２を閉じるとともに左目シャッタ２３を開く旨の後面側制御信号を生成する。
さらに、信号生成部３４３は、右目用画像Ｐｍが表示される時刻Ｔ（Ｎ−１）から時刻Ｔ（Ｎ）の間と、左目用画像Ｐｈが表示される時刻Ｔ（Ｎ）から時刻Ｔ（Ｎ＋１）の間との両方、すなわち時刻Ｔ（Ｎ−１）から時刻Ｔ（Ｎ＋１）の間において、右目シャッタ２２および左目シャッタ２３の両方を開く旨の右面側制御信号および左面側制御信号を生成する。
【００２４】
そして、立体画像表示装置３は、表示制御部３４１によって第Ｎ立体画像を構成する右目用画像Ｐｍ、左目用画像Ｐｈを交互に表示する。さらに、立体画像表示装置３は、第Ｎ立体画像の右目用画像Ｐｍ、左目用画像Ｐｈを交互に表示する直前に、信号出力部３４４によって第Ｎ立体画像に対応する前面側制御信号、後面側制御信号、右面側制御信号、および、左面側制御信号を、前面側赤外線Ｌ１、後面側赤外線Ｌ２、右面側赤外線Ｌ３、および、左面側赤外線Ｌ４を利用して出力する。
【００２５】
一方、ユーザＵに装着された立体画像視認用眼鏡２は、図示しないスイッチの操作を検出すると、図４に示すように、立体画像表示装置３から出力された制御信号（前面側制御信号、後面側制御信号、右面側制御信号、左面側制御信号）の受信処理を行う（ステップＳ１）。具体的に、立体画像視認用眼鏡２は、受光部２４によって前面側赤外線Ｌ１、後面側赤外線Ｌ２、右面側赤外線Ｌ３、および、左面側赤外線Ｌ４のうちいずれか１つを受光する。そして、シャッタ制御部２５は、当該受光した赤外線（前面側赤外線Ｌ１、後面側赤外線Ｌ２、右面側赤外線Ｌ３、および、左面側赤外線Ｌ４）を利用して出力された制御信号を受信する。
【００２６】
そして、立体画像視認用眼鏡２のシャッタ制御部２５は、ステップＳ１で受信した制御信号が前面側制御信号か否かを判断する（ステップＳ２）。このステップＳ２において、シャッタ制御部２５は、前面側制御信号であると判断すると、当該前面側制御信号に基づいて、右目用画像Ｐｍが表示される時刻Ｔ（Ｎ−１）から時刻Ｔ（Ｎ）の間に、左目シャッタ２３を閉じるとともに右目シャッタ２２を開き（ステップＳ３）、左目用画像Ｐｈが表示される時刻Ｔ（Ｎ）から時刻Ｔ（Ｎ＋１）の間に、右目シャッタ２２を閉じるとともに左目シャッタ２３を開く（ステップＳ４）。そして、シャッタ制御部２５は、ステップＳ４の処理の後、ステップＳ１の処理を行う。
【００２７】
ここで、図１に示すように、第１立体画像視認用眼鏡２Ａを装着した前面側ユーザＵ１が表示面３１１の前面部３１３側に位置している場合、第１立体画像視認用眼鏡２Ａは、ステップＳ２において前面側制御信号を受信する。そして、第１立体画像視認用眼鏡２Ａのシャッタ制御部２５がステップＳ３およびステップＳ４の処理が行うと、前面側ユーザＵ１は、例えば、時刻Ｔ０から時刻Ｔ１の間に表示される右目用画像Ｐｍを右目のみで視認し、時刻Ｔ１から時刻Ｔ２の間に表示される左目用画像Ｐｈを左目のみで視認することとなる。
このため、前面側ユーザＵ１は、例えば時刻Ｔ０〜時刻Ｔ２の間において、飛行機Ｑ２が雲Ｑ１よりも上方に位置する第１立体画像を視認することができ、第１立体映像で表現したい立体感を感じることができる。
【００２８】
また、立体画像視認用眼鏡２のシャッタ制御部２５は、図４に示すように、ステップＳ２において、前面側制御信号でないと判断すると、後面側制御信号か否かを判断する（ステップＳ５）。そして、シャッタ制御部２５は、ステップＳ５において、後面側制御信号であると判断すると、当該後面側制御信号に基づいて、右目用画像Ｐｍが表示される時刻Ｔ（Ｎ−１）から時刻Ｔ（Ｎ）の間に、右目シャッタ２２を閉じるとともに左目シャッタ２３を開き（ステップＳ６）、左目用画像Ｐｈが表示される時刻Ｔ（Ｎ）から時刻Ｔ（Ｎ＋１）の間に、左目シャッタ２３を閉じるとともに右目シャッタ２２を開く（ステップＳ７）。そして、シャッタ制御部２５は、ステップＳ７の処理の後、ステップＳ１の処理を行う。
【００２９】
ここで、図１に示すように、第２立体画像視認用眼鏡２Ｂを装着した後面側ユーザＵ２が表示面３１１の後面部３１４側に位置している場合、第２立体画像視認用眼鏡２Ｂは、ステップＳ１において後面側制御信号を受信する。そして、第２立体画像視認用眼鏡２Ｂのシャッタ制御部２５がステップＳ６およびステップＳ７の処理が行うと、後面側ユーザＵ２は、例えば、時刻Ｔ０から時刻Ｔ１の間に表示される右目用画像Ｐｍを左目のみで視認し、時刻Ｔ１から時刻Ｔ２の間に表示される左目用画像Ｐｈを右目のみで視認することとなる。すなわち、後面側ユーザＵ２は、前面側ユーザＵ１が右目のみで視認している右目用画像Ｐｍを左目のみで視認し、前面側ユーザＵ１が左目のみで視認している左目用画像Ｐｈを右目のみで視認することとなる。
このため、後面側ユーザＵ２は、例えば時刻Ｔ０〜時刻Ｔ２の間において、前面側ユーザＵ１と同じように飛行機Ｑ２が雲Ｑ１よりも上方に位置する第１立体画像を視認することができ、第１立体映像で表現したい立体感を感じることができる。
【００３０】
また、立体画像視認用眼鏡２のシャッタ制御部２５は、図４に示すように、ステップＳ５において、後面側制御信号でないと判断すると、すなわち、右面側制御信号または左面側制御信号を受信したと判断すると、当該右面面側制御信号または左面側制御信号に基づいて、右目用画像Ｐｍが表示される時刻Ｔ（Ｎ−１）から時刻Ｔ（Ｎ）の間に、右目シャッタ２２および左目シャッタ２３の両方を開き（ステップＳ８）、左目用画像Ｐｈが表示される時刻Ｔ（Ｎ）から時刻Ｔ（Ｎ＋１）の間にも、右目シャッタ２２および左目シャッタ２３の両方を開く（ステップＳ９）。そして、シャッタ制御部２５は、ステップＳ９の処理の後、ステップＳ１の処理を行う。
【００３１】
すなわち、図１には図示しないが、例えば、立体画像視認用眼鏡２を装着したユーザＵが表示面３１１の右面部３１５側に位置している場合、立体画像視認用眼鏡２は、ステップＳ１において右面側制御信号を受信する。そして、立体画像視認用眼鏡２のシャッタ制御部２５がステップＳ８およびステップＳ９の処理が行うと、ユーザＵは、例えば、時刻Ｔ０から時刻Ｔ１の間に表示される右目用画像Ｐｍを両目で視認し、時刻Ｔ１から時刻Ｔ２の間に表示される左目用画像Ｐｈも両目で視認することとなる。
ここで、表示面３１１の右面部３１５側あるいは左面部３１６側に位置するユーザＵが、右目用画像Ｐｍを右目で視認して左目用画像Ｐｈを左目で視認すると、あるいは、その逆の場合であって、右目用画像Ｐｍを左目で視認して左目用画像Ｐｈを右目で視認すると、右目用画像Ｐｍおよび左目用画像Ｐｈが左右の視差を有するため、第Ｎ立体画像が全く見えなくなってしまうおそれがある。これに対して、本実施形態では、ユーザＵが右目用画像Ｐｍおよび左目用画像Ｐｈの両方を両目で視認するため、第Ｎ立体画像を視認することができる。
【００３２】
｛立体画像システムの作用効果｝
上述したような第１実施形態では、以下のような作用効果を奏することができる。
（１）立体画像表示装置３は、上方を向く表示面３１１が右目用画像Ｐｍを表示するタイミングで左目シャッタ２３のみを閉じ、左目用画像Ｐｈを表示するタイミングで右目シャッタ２２のみを閉じる旨の前面側制御信号と、右目用画像Ｐｍを表示するタイミングで右目シャッタ２２のみを閉じ、左目用画像Ｐｈを表示するタイミングで左目シャッタ２３のみを閉じる旨の後面側制御信号とを生成する。また、立体画像表示装置３は、前面部３１３から出射する前面側赤外線Ｌ１を利用して前面側制御信号を出力し、表示面３１１の平面視において前面側赤外線Ｌ１と反対方向に出射する後面側赤外線Ｌ２を利用して後面側制御信号を出力する。そして、立体画像表示装置３は、表示面３１１に右目用画像Ｐｍと左目用画像Ｐｈとを交互に表示する。
このため、表示面３１１の前面部３１３側に位置する前面側ユーザＵ１は、右目用画像Ｐｍを右目のみで視認し、左目用画像Ｐｈを左目のみで視認することができる。また、後面部３１４側に位置する後面側ユーザＵ２は、右目用画像Ｐｍを左目のみで視認し、左目用画像Ｐｈを右目のみで視認することができる。したがって、前面側ユーザＵ１と後面側ユーザＵ２とが表示面３１１を挟んで対向する位置から、表示面３１１を視認するような場合であっても、前面側ユーザＵ１および後面側ユーザＵ２の両者は、第Ｎ立体画像が表現したい立体感を感じることができる。
特に、立体画像視認用眼鏡２は、立体画像表示装置３から出力される前面側制御信号や後面側制御信号に基づき、右目シャッタ２２と左目シャッタ２３との開閉を制御するだけの構成としている。このため、例えば、前面側ユーザＵ１が前面部３１３側から後面部３１４側に移動したとしても、前面側ユーザＵ１は、第１立体画像視認用眼鏡２Ａを装着したままで第Ｎ立体画像が表現したい立体感を感じることができる。
【００３３】
（２）立体画像表示装置３は、右目用画像Ｐｍを表示するタイミングおよび左目用画像Ｐｈを表示するタイミングの両方において、右目シャッタ２２および左目シャッタ２３の両方を開く旨の右面側制御信号と左面側制御信号とを生成する。そして、立体画像表示装置３は、表示面３１１の平面視において前面側赤外線Ｌ１と直交する方向に出射する右面側赤外線Ｌ３を利用して右面側制御信号を出力し、表示面３１１の平面視において右面側赤外線Ｌ３と反対方向に出射する左面側赤外線Ｌ４を利用して左面側制御信号を出力する。
このため、表示面３１１の右面部３１５側あるいは左面部３１６側に位置するユーザＵは、右目用画像Ｐｍおよび左目用画像Ｐｈの両方を両目で視認することができる。したがって、例えば、表示面３１１の前面部３１３側に位置する前面側ユーザＵ１が、右面部３１５側を回って後面部３１４側に移動する場合でも、当該移動中に第Ｎ立体画像が全く見えなくなるという不具合を防止できる。
【００３４】
［第２実施形態］
次に、本発明の第２実施形態について説明する。
なお、第１実施形態と同一の構成については、同一名称および同一符号を付し、説明を簡略にあるいは省略する。また、第１実施形態と同様の構成については、同一名称を付し、説明を簡略にする。
【００３５】
｛立体画像視認システムの構成｝
図５および図６に示すように、立体画像視認システム１Ａは、立体画像視認用眼鏡５と、立体画像表示装置３Ａとを備える。
【００３６】
立体画像視認用眼鏡５の装着部２１は、右目シャッタ２２と、左目シャッタ２３と、受光部２４と、電波受信部５５と、シャッタ制御部５６とを備える。
電波受信部５５は、例えば装着部２１の正面に配置され、シャッタ制御部５６の制御により、立体画像表示装置３Ａが発信する電波Ｅを受信する。
シャッタ制御部５６は、前面側赤外線Ｌ１１および後面側赤外線Ｌ１２を利用して出力される制御信号と、電波Ｅを利用して出力される切替信号とに基づいて、右目シャッタ２２および左目シャッタ２３の開閉を制御する。
【００３７】
立体画像表示装置３Ａは、表示部３１と、発光部３２Ａと、記憶部３３と、制御部３４Ａと、電波送信部３５Ａとを備える。
【００３８】
表示部３１は、四角形状の表示面３１１を備える。表示部３１は、表示面３１１を上方に向けて長方形状の枠体３１２内に収容される。この枠体３１２は、長方形状の一方の長辺を構成する前面部３１３と、他方の長辺を構成する後面部３１４と、一方の短辺を構成する右面部３１５と、他方の短辺を構成する左面部３１６とを備える。
【００３９】
発光部３２Ａは、前面部３１３の略中央に設けられた１個の第１発光部としての前面側発光部３２１Ａと、後面部３１４の略中央に設けられた１個の第２発光部としての後面側発光部３２２Ａとを備える。
前面側発光部３２１Ａおよび後面側発光部３２２Ａは、図示しない複数の赤外線ＬＥＤを有し、制御部３４Ａの制御により、指向性を有する第１赤外線としての前面側赤外線Ｌ１１および第２赤外線としての後面側赤外線Ｌ１２をそれぞれ複数方向に発光する。
【００４０】
具体的に、前面側赤外線Ｌ１１および後面側赤外線Ｌ１２は、図５に示すように、平面視において光軸が略同一線上に位置するように、かつ、互いに離れる方向に進行するように発光する。さらに、前面側赤外線Ｌ１１および後面側赤外線Ｌ１２は、側面視において、斜め上方に進行するように発光する。
なお、前面側赤外線Ｌ１１の進行方向が本発明の第１方向に該当し、後面側赤外線Ｌ１２の進行方向が本発明の第２方向に該当する。
なお、前面側発光部３２１Ａを前面部３１３に複数設けてもよいし、後面側発光部３２２Ａを後面部３１４に複数設けてもよい。
【００４１】
電波送信部３５Ａは、枠体３１２の互いに対向する隅部にそれぞれ設けられている。そして、電波送信部３５Ａは、制御部３４Ａの制御により、指向性を有さない電波Ｅを出力する。この電波Ｅは、指向性を有さないため、前面側ユーザＵ１の第１立体画像視認用眼鏡５Ａの電波受信部５５、および、後面側ユーザＵ２の第２立体画像視認用眼鏡５Ｂの電波受信部５５の両方により受光される。
なお、電波送信部３５Ａは、上述の位置に限らず、他の位置に設けてもよいし、個数も上述の個数に限定されない。
【００４２】
制御部３４Ａは、記憶部３３に記憶されたプログラムおよびデータをＣＰＵ（Central Processing Unit）が処理することにより構成される、表示制御部３４１と、視認制御部３４２Ａとを備える。また、視認制御部３４２Ａは、信号生成部３４３Ａと、信号出力部３４４Ａとを備える。
【００４３】
信号生成部３４３Ａは、右目用画像Ｐｍを表示するタイミングで左目シャッタ２３のみを閉じ、左目用画像Ｐｈを表示するタイミングで右目シャッタ２２のみを閉じる旨の切替信号を生成する。
また、信号生成部３４３Ａは、切替信号の極性を変更しない旨の第１制御信号としての前面側制御信号を生成する。さらに、信号生成部３４３Ａは、切替信号の極性を変更する旨の第２制御信号としての後面側制御信号を生成する。
ここで、切替信号の極性が変更されないと、切替信号を受信した立体画像視認用眼鏡５は、右目用画像Ｐｍを表示するタイミングで左目シャッタ２３のみを閉じ、左目用画像Ｐｈを表示するタイミングで右目シャッタ２２のみを閉じるように動作する。
また、切替信号の極性が変更されると、切替信号を受信した立体画像視認用眼鏡５は、右目用画像Ｐｍを表示するタイミングで右目シャッタ２２のみを閉じ、左目用画像Ｐｈを表示するタイミングで左目シャッタ２３のみを閉じるように動作する。
【００４４】
信号出力部３４４Ａは、前面側赤外線Ｌ１１を利用して前面側制御信号を出力する。また、信号出力部３４４Ａは、後面側赤外線Ｌ１２を利用して後面側制御信号を出力する。すなわち、信号出力部３４４Ａは、前面側制御信号および後面側制御信号を表示面３１１の平面視における互いに重ならない方向に出力する。
さらに、信号出力部３４４Ａは、電波Ｅを利用して切替信号を出力する。
このように信号出力部３４４Ａが制御信号および切替信号を出力することによって、表示面３１１の前面部３１３側に位置するユーザＵ（前面側ユーザＵ１）の立体画像視認用眼鏡５（第１立体画像視認用眼鏡５Ａ）が前面側制御信号および切替信号のみを受信し、後面部３１４側に位置するユーザＵ（後面側ユーザＵ２）の立体画像視認用眼鏡５（第２立体画像視認用眼鏡５Ｂ）が後面側制御信号および切替信号のみを受信することができる。
【００４５】
｛立体画像視認システムの作用｝
次に、立体画像視認システム１Ａの作用を説明する。
なお、ここでは、図５に示すように、立体画像視認システム１Ａによって、雲Ｑ１の上を飛行機Ｑ２が飛行している様子を表す立体画像、すなわち飛行機Ｑ２が雲Ｑ１よりも上方に位置する立体画像を、ユーザＵに認識させる場合を例示して説明する。
【００４６】
まず、立体画像視認システム１Ａを構成する立体画像表示装置３Ａは、立体画像を表示する旨の操作を検出すると、右目用画像Ｐｍ、左目用画像Ｐｈを表示する前に、信号生成部３４３Ａによって前面側制御信号、後面側制御信号、および、切替信号を生成する。
具体的に、信号生成部３４３Ａは、図７に示すように、右目用画像Ｐｍが表示される時刻Ｔ（Ｎ−１）（Ｎは１以上の整数）から時刻Ｔ（Ｎ）の間に、左目シャッタ２３を閉じるとともに右目シャッタ２２を開き、左目用画像Ｐｈが表示される時刻Ｔ（Ｎ）から時刻Ｔ（Ｎ＋１）の間に、左目シャッタ２３を閉じるとともに右目シャッタ２２を開く旨の切替信号を生成する。
また、信号生成部３４３Ａは、右目用画像Ｐｍが表示される時刻Ｔ（Ｎ−１）から時刻Ｔ（Ｎ）の間と、左目用画像Ｐｈが表示される時刻Ｔ（Ｎ）から時刻Ｔ（Ｎ＋１）の間との両方、すなわち時刻Ｔ（Ｎ−１）から時刻Ｔ（Ｎ＋１）の間において、切替信号の極性を変更しない旨の前面側制御信号を生成する。さらに、信号生成部３４３Ａは、時刻Ｔ（Ｎ−１）から時刻Ｔ（Ｎ＋１）の間において、切替信号の極性を変更する旨の後面側制御信号を生成する。
【００４７】
そして、立体画像表示装置３Ａは、表示制御部３４１によって第Ｎ立体画像を構成する右目用画像Ｐｍ、左目用画像Ｐｈを交互に表示する。さらに、立体画像表示装置３Ａは、第Ｎ立体画像の右目用画像Ｐｍ、左目用画像Ｐｈを交互に表示する直前に、信号出力部３４４Ａによって第Ｎ立体画像に対応する前面側制御信号、後面側制御信号、および、切替信号を、前面側赤外線Ｌ１、後面側赤外線Ｌ２、および、電波Ｅを利用して出力する。
【００４８】
一方、ユーザＵに装着された立体画像視認用眼鏡５は、図示しないスイッチの操作を検出すると、前面側制御信号、後面側制御信号、および、切替信号の受信処理を行う。
図５に示すように、第１立体画像視認用眼鏡５Ａを装着した前面側ユーザＵ１が表示面３１１の前面部３１３側に位置している場合、第１立体画像視認用眼鏡５Ａは、切替信号と前面側制御信号とを受信する。そして、第１立体画像視認用眼鏡５Ａのシャッタ制御部５６が、切替信号と、当該切替信号の極性を変更しない旨の切替信号とに基づいて、右目シャッタ２２および左目シャッタ２３を制御する。このような制御が行われることにより、前面側ユーザＵ１は、右目用画像Ｐｍを右目のみで視認し、左目用画像Ｐｈを左目のみで視認することとなる。
このため、前面側ユーザＵ１は、飛行機Ｑ２が雲Ｑ１よりも上方に位置する第Ｎ立体画像を視認することができ、第Ｎ立体映像で表現したい立体感を感じることができる。
【００４９】
一方、第２立体画像視認用眼鏡５Ｂを装着した後面側ユーザＵ２が表示面３１１の後面部３１４側に位置している場合、第２立体画像視認用眼鏡５Ｂは、切替信号と、当該切替信号の極性を変更する旨の後面側制御信号とを受信して、右目シャッタ２２および左目シャッタ２３を制御する。このような制御が行われることにより、後面側ユーザＵ２は、右目用画像Ｐｍを左目のみで視認し、左目用画像Ｐｈを右目のみで視認することとなる。
このため、後面側ユーザＵ２も、前面側ユーザＵ１と同様に、飛行機Ｑ２が雲Ｑ１よりも上方に位置する第Ｎ立体画像を視認することができ、第Ｎ立体映像で表現したい立体感を感じることができる。
【００５０】
｛立体画像システムの作用効果｝
上述したような第２実施形態では、以下のような作用効果を奏することができる。
（３）立体画像表示装置３Ａは、上方を向く表示面３１１が右目用画像Ｐｍを表示するタイミングで左目シャッタ２３のみを閉じ、左目用画像Ｐｈを表示するタイミングで右目シャッタ２２のみを閉じる旨の切替信号を生成する。さらに、立体画像表示装置３Ａは、切替信号の極性を変更しない旨の前面側制御信号と、当該局性を変更する旨の後面側制御信号とを生成する。そして、立体画像表示装置３Ａは、前面部３１３から出射する前面側赤外線Ｌ１を利用して前面側制御信号を出力し、表示面３１１の平面視において前面側赤外線Ｌ１１と反対方向に出射する後面側赤外線Ｌ１２を利用して後面側制御信号を出力する。さらに、立体画像表示装置３Ａは、電波Ｅを利用して切替信号を出力する。そして、立体画像表示装置３Ａは、表示面３１１に右目用画像Ｐｍと左目用画像Ｐｈとを交互に表示する。
このため、表示面３１１の前面部３１３側に位置する前面側ユーザＵ１は、右目用画像Ｐｍを右目のみで視認し、左目用画像Ｐｈを左目のみで視認することができる。また、後面部３１４側に位置する後面側ユーザＵ２は、右目用画像Ｐｍを左目のみで視認し、左目用画像Ｐｈを右目のみで視認することができる。したがって、前面側ユーザＵ１と後面側ユーザＵ２とが表示面３１１を挟んで対向する位置から、表示面３１１を視認するような場合であっても、前面側ユーザＵ１および後面側ユーザＵ２の両者は、第Ｎ立体画像が表現したい立体感を感じることができる。
特に、立体画像視認用眼鏡５は、立体画像表示装置３Ａから出力される前面側制御信号、後面側制御信号、切替信号に基づき、右目シャッタ２２と左目シャッタ２３との開閉を制御するだけの構成としている。このため、例えば、前面側ユーザＵ１が前面部３１３側から後面部３１４側に移動したとしても、前面側ユーザＵ１は、第１立体画像視認用眼鏡５Ａを装着したままで第Ｎ立体画像が表現したい立体感を感じることができる。
【００５１】
［変形例］
なお、本発明は前述の実施形態に限定されるものではなく、本発明の目的を達成できる範囲での変形、改良などは本発明に含まれるものである。
すなわち、表示面３１１の平面視での形状としては、長方形に限らず、三角形や五角形などの多角形、真円、楕円などのいずれの形状であってもよい。
また、前面側発光部３２１、後面側発光部３２２、右面側発光部３２３、および、左面側発光部３２４を有する枠体３１２を、３１１から着脱自在に構成し、当該枠体３１２を従来ある立体画像表示装置に装着できるように構成してもよい。そして、このような構成において、当該枠体３１２が装着された立体画像表示装置の制御部にプログラムをインストールして、当該制御部を上記実施形態の制御部３４として機能させてもよい。
【００５２】
また、第１実施形態の立体画像表示装置３に、右面側発光部３２３と左面側発光部３２４を設けない構成とし、信号生成部３４３に、右面側制御信号と左面側制御信号とを生成する機能を設けない構成とし、立体画像視認用眼鏡２のシャッタ制御部２５に、前面側制御信号および後面側制御信号の両方を受信できないタイミングで、右目シャッタ２２と左目シャッタ２３との両方を開く機能を設けた構成としてもよい。
このような構成の場合、立体画像表示装置３は、図４に示すような、右目用画像Ｐｍと左目用画像Ｐｈの表示処理と、前面側制御信号および後面側制御信号の出力処理とを行うが、右面側開閉信および左面側制御信号の出力処理を行わない。このため、表示面３１１の右面部３１５側および左面部３１６側に位置するユーザＵの立体画像視認用眼鏡２は、制御信号を受信できないこととなる。
一方で、ユーザＵの立体画像視認用眼鏡２は、図８に示すように、ステップＳ１の処理後に、制御信号を受信できたか否かを判断する（ステップＳ１１）。そして、立体画像視認用眼鏡２は、ステップＳ１１において、前面側制御信号および後面側制御信号の両方を受信できないと判断すると、ステップＳ８およびステップＳ９の処理を行い、右目用画像Ｐｍおよび左目用画像Ｐｈの両方が表示されるタイミングで右目シャッタ２２および左目シャッタ２３を開く。すなわち、ユーザＵが表示面３１１の右面部３１５側または左面部３１６側に位置する場合、立体画像表示装置３が右面側発光部３２３および左面側発光部３２４を有していなくても、立体画像視認用眼鏡２は、上記実施形態と同様のステップＳ８およびステップＳ９の処理が行うことができる。
また、立体画像視認用眼鏡２は、ステップＳ１１において、制御信号を受信できたと判定した場合、ステップＳ２の処理を行う。そして、立体画像視認用眼鏡２は、ステップＳ２において、前面側制御信号を受信できたと判断すると，ステップＳ３およびステップＳ４の処理を行い、前面側制御信号を受信していないと判断すると、すなわち、後面側制御信号を受信したと判断すると、ステップＳ６およびステップＳ７の処理を行う。
【００５３】
そして、立体画像表示装置３としては、携帯型あるいは設置型のコンピュータ、ＰＤＡ（Personal Digital Assistant）、携帯電話、コンテンツ再生装置の表示装置として用いられるものであってもよい。さらに、立体画像表示装置３としては、業務用インフォメーションや車内でのインフォメーションの表示に用いられるものであってもよいし、電子機器の操作に用いられるものであってもよい。
【符号の説明】
【００５４】
２，５…立体画像視認用眼鏡
３，３Ａ…立体画像表示装置
２２…右目シャッタ
２３…左目シャッタ
２５…シャッタ制御部
３１…表示部
３１１…表示面
３２１，３２１Ａ…第１発光部としての前面側発光部
３２２，３２２Ａ…第２発光部としての後面側発光部
３２３…第３発光部としての右面側発光部
３２４…第３発光部としての左面側発光部
３４１…表示制御部
３４２，３４２Ａ…視認制御部
３４３…信号生成部
３４４…信号出力部
Ｌ１，Ｌ１１…第１赤外線としての前面側赤外線
Ｌ２，Ｌ１２…第２赤外線としての後面側赤外線
Ｌ３…第３赤外線としての右面側赤外線
Ｌ４…第３赤外線としての左面側赤外線
【図１】
2013057818.tif 000003
【図２】
2013057818.tif 000004
【図３】
2013057818.tif 000005
【図４】
2013057818.tif 000006
【図５】
2013057818.tif 000007
【図６】
2013057818.tif 000008
【図７】
2013057818.tif 000009
【図８】
2013057818.tif 000010
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示方法であって、
表示面を上方に向けて設置された表示部と、
前記表示面の平面視における当該表示面の外側に向かう第１方向に指向性を持たせて第１赤外線を発光する第１発光部と、
前記平面視における前記第１方向と反対の第２方向に指向性を持たせて第２赤外線を発光する第２発光部と、
前記平面視における前記第１方向と直交する第３方向に指向性を持たせて第３赤外線を発光する第３発光部と、を用い、
前記表示面の前記第１方向側に位置する前面側のユーザのための右目用画像および左目用画像を前記表示面に交互に表示させるステップと、
前記表示面の前記第１方向側にユーザが位置する場合においては、前記第１赤外線により伝送される第１制御信号により、前記前面側のユーザのための右目用画像を当該第１方向側のユーザの右目で視認可能にし、前記前面側のユーザのための左目用画像を当該第１方向側のユーザの左目で視認可能にして、前記表示面の前記第３方向側にユーザが位置する場合においては、前記第３赤外線により伝送される第３制御信号により、前記前面側のユーザのための右目用画像および左目用画像を前記第３方向側のユーザの両目で視認可能にするとともに、前記表示面の前記第２方向側にユーザが位置する場合においては、前記第２赤外線により伝送される第２制御信号により、前記前面側のユーザのための右目用画像を当該第２方向側のユーザの左目で視認可能にし、前記前面側のユーザのための左目用画像を当該第２方向側のユーザの右目で視認可能にする視認制御ステップと、を有することを特徴とする立体画像表示方法。
【請求項２】
請求項１に記載の立体画像表示方法において、
前記視認制御ステップは、
前記前面側のユーザのための右目用画像を表示するタイミングで前記左目シャッタのみを閉じ、前記前面側のユーザのための左目用画像を表示するタイミングで前記右目シャッタのみを閉じる旨の前記第１制御信号、前記前面側のユーザのための右目用画像を表示するタイミングおよび前記左目用画像を表示するタイミングの両方において、前記右目シャッタおよび前記左目シャッタの両方を開く旨の第３制御信号、および、前記前面側のユーザのための右目用画像を表示するタイミングで前記右目シャッタのみを閉じ、前記前面側のユーザのための左目用画像を表示するタイミングで前記左目シャッタのみを閉じる旨の前記第２制御信号を生成するステップと、
前記第１赤外線を利用して前記第１制御信号を伝送し、前記第３赤外線を利用して前記第３制御信号を伝送し、前記第２赤外線を利用して前記第２制御信号を伝送するステップと、を有することを特徴とする立体画像表示方法。
【請求項３】
（削除）
【請求項４】
（削除）
【請求項５】
ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示装置であって、
表示面を上方に向けて設置された表示部と、
前記表示面の平面視における当該表示面の外側に向かう第１方向に指向性を持たせて第１赤外線を発光する第１発光部と、
前記平面視における前記第１方向と反対の第２方向に指向性を持たせて第２赤外線を発光する第２発光部と、
前記平面視における前記第１方向と直交する第３方向に指向性を持たせて第３赤外線を発光する第３発光部と、
前記表示面の前記第１方向側に位置する前面側のユーザのための右目用画像および左目用画像を前記表示面に交互に表示させる表示制御部と、
前記表示面の前記第１方向側にユーザが位置する場合においては、前記第１赤外線により伝送される第１制御信号により、前記前面側のユーザのための右目用画像を前記第１方向側のユーザの右目で視認可能にし、前記前面側のユーザのための左目用画像を当該第１方向側のユーザの左目で視認可能にして、前記表示面の前記第３方向側にユーザが位置する場合においては、前記第３赤外線により伝送される第３制御信号により、前記前面側のユーザのための右目用画像および左目用画像を前記第３方向側のユーザの両目で視認可能にするとともに、前記表示面の前記第２方向側にユーザが位置する場合においては、前記第２赤外線により伝送される第２制御信号により、前記前面側のユーザのための右目用画像を前記第２方向側のユーザの左目で視認可能にし、前記前面側のユーザのための左目用画像を当該第２方向側のユーザの右目で視認可能にする視認制御部と、を備えることを特徴とする立体画像表示装置。
【請求項６】
請求項５に記載の立体画像表示装置において、
前記視認制御部は、
前記前面側のユーザのための右目用画像を表示するタイミングで前記左目シャッタのみを閉じ、前記前面側のユーザのための左目用画像を表示するタイミングで前記右目シャッタのみを閉じる旨の前記第１制御信号、前記前面側のユーザのための右目用画像を表示するタイミングおよび前記左目用画像を表示するタイミングの両方において、前記右目シャッタおよび前記左目シャッタの両方を開く旨の第３制御信号、および、前記前面側のユーザのための右目用画像を表示するタイミングで前記右目シャッタのみを閉じ、前記前面側のユーザのための左目用画像を表示するタイミングで前記左目シャッタのみを閉じる旨の前記第２制御信号を生成する信号生成部と、
前記第１赤外線を利用して前記第１制御信号を伝送し、前記第３赤外線を利用して前記第３制御信号を伝送し、前記第２赤外線を利用して前記第２制御信号を伝送する信号出力部と、を備えることを特徴とする立体画像表示装置。
【請求項７】
（削除）
【請求項８】
（削除）
【請求項９】
立体画像表示装置により交互に表示される左右の視差を有する右目用画像および左目用画像の視認に利用され、ユーザに立体画像を認識させる立体画像視認用眼鏡であって、
前記ユーザの右目と対向する右目シャッタと、
当該ユーザの左目と対向する左目シャッタと、
制御信号を受信して、当該制御信号に基づいて前記右目シャッタおよび前記左目シャッタを制御するシャッタ制御部と、を備え、
前記シャッタ制御部は、
所定のタイミングで前記右目シャッタのみを閉じる旨の制御信号を受信すると、当該所定のタイミングで前記右目シャッタのみを閉じ、
所定のタイミングで前記左目シャッタのみを閉じる旨の制御信号を受信すると、当該所定のタイミングで前記左目シャッタのみを閉じ、
前記右目シャッタのみを閉じる旨の制御信号および前記左目シャッタのみを閉じる旨の制御信号の両方を受信できないとき、または、前記右目シャッタおよび前記左目シャッタの両方を開く旨の制御信号を受信した場合に、前記右目シャッタおよび前記左目シャッタの両方を開くことを特徴とする立体画像視認用眼鏡。
【手続補正２】
【補正対象書類名】明細書
【補正対象項目名】０００２
【補正方法】変更
【補正の内容】
【０００２】
表示面の画像を見ると、以下のような問題が生じる。
すなわち、一方のユーザは、右目で右目用画像を見て、左目で左目用画像を見ることとなる。このため、当該一方のユーザが認識する立体画像の奥行きや凹凸などの立体感は、立体画像で表現したい立体感と一致する。これに対して、他方のユーザは、左目で右目用画像を見て、左目で右目用画像を見ることとなる。このため、当該他方のユーザが認識する立体感は、立体画像で表現したい立体感と逆になってしまう。
［０００５］
本発明は、異なる位置から表示面を見るユーザに対して適切に立体画像を視認させることが可能な立体画像表示方法、立体画像表示装置、および、立体画像視認用眼鏡を提供することを１つの目的とする。
課題を解決するための手段
［０００６］
本発明の立体画像表示方法は、ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示方法であって、表示面を上方に向けて設置された表示部と、前記表示面の平面視における当該表示面の外側に向かう第１方向に指向性を持たせて第１赤外線を発光する第１発光部と、前記平面視における前記第１方向と反対の第２方向に指向性を持たせて第２赤外線を発光する第２発光部と、前記平面視における前記第１方向と直交する第３方向に指向性を持たせて第３赤外線を発光する第３発光部と、を用い、前記表示面の前記第１方向側に位置する前面側のユーザのための右目用画像および左目用画像を前記表示面に交互に表示させるステップと、前記表示面の前記第１方向側にユーザが位置する場合においては、前記第１赤外線により伝送される第１制御信号により、前記前面側のユーザのための右目用画像を当該第１方向側のユーザの右目で視認可能にし、前記前面側のユーザのための左目用画像を当該第１方向側のユーザの左目で視認可能にして、前記表示面の前
【手続補正３】
【補正対象書類名】明細書
【補正対象項目名】０００３
【補正方法】変更
【補正の内容】
【０００３】
記第３方向側にユーザが位置する場合においては、前記第３赤外線により伝送される第３制御信号により、前記前面側のユーザのための右目用画像および左目用画像を前記第３方向側のユーザの両目で視認可能にするとともに、前記表示面の前記第２方向側にユーザが位置する場合においては、前記第２赤外線により伝送される第２制御信号により、前記前面側のユーザのための右目用画像を当該第２方向側のユーザの左目で視認可能にし、前記前面側のユーザのための左目用画像を当該第２方向側のユーザの右目で視認可能にする視認制御ステップと、を有することを特徴とする。
［０００７］
本発明の立体画像表示装置は、ユーザの右目と対向する右目シャッタと、当該ユーザの左目と対向する左目シャッタと、制御信号に基づいて前記右目シャッタおよび前記左目シャッタを制御するシャッタ制御部と、を備える立体画像視認用眼鏡を装着した前記ユーザに、左右の視差を有する右目用画像および左目用画像を視認させることで立体画像を認識させる立体画像表示装置であって、表示面を上方に向けて設置された表示部と、前記表示面の平面視における当該表示面の外側に向かう第１方向に指向性を持たせて第１赤外線を発光する第１発光部と、前記平面視における前記第１方向と反対の第２方向に指向性を持たせて第２赤外線を発光する第２発光部と、前記平面視における前記第１方向と直交する第３方向に指向性を持たせて第３赤外線を発光する第３発光部と、前記表示面の前記第１方向側に位置する前面側のユーザのための右目用画像および左目用画像を前記表示面に交互に表示させる表示制御部と、前記表示面の前記第１方向側にユーザが位置する場合においては、前記第１赤外線により伝送される第１制御信号により、前記前面側のユーザのための右目用画像を前記第１方向側のユーザの右目で視認可能にし、前記前面側のユーザのための左目用画像を当該第１方向側のユーザの左目で視認可能にして、前記表示面の前記第３方向側にユーザが位置する場合においては、前記第３赤外線により伝送される第３制御信号により、前記前面側のユーザのための右目用画像および左目用画像を前記第３方向側のユーザの両目で視認可能にするとともに、
【手続補正４】
【補正対象書類名】明細書
【補正対象項目名】０００４
【補正方法】変更
【補正の内容】
【０００４】
前記表示面の前記第２方向側にユーザが位置する場合においては、前記第２赤外線により伝送される第２制御信号により、前記前面側のユーザのための右目用画像を前記第２方向側のユーザの左目で視認可能にし、前記前面側のユーザのための左目用画像を当該第２方向側のユーザの右目で視認可能にする視認制御部と、を備えることを特徴とする。
［０００８］
本発明の立体画像視認用眼鏡は、立体画像表示装置により交互に表示される左右の視差を有する右目用画像および左目用画像の視認に利用され、ユーザに立体画像を認識させる立体画像視認用眼鏡であって、前記ユーザの右目と対向する右目シャッタと、当該ユーザの左目と対向する左目シャッタと、制御信号を受信して、当該制御信号に基づいて前記右目シャッタおよび前記左目シャッタを制御するシャッタ制御部と、を備え、前記シャッタ制御部は、所定のタイミングで前記右目シャッタのみを閉じる旨の制御信号を受信すると、当該所定のタイミングで前記右目シャッタのみを閉じ、所定のタイミングで前記左目シャッタのみを閉じる旨の制御信号を受信すると、当該所定のタイミングで前記左目シャッタのみを閉じ、前記右目シャッタのみを閉じる旨の制御信号および前記左目シャッタのみを閉じる旨の制御信号の両方を受信できないとき、または、前記右目シャッタおよび前記左目シャッタの両方を開く旨の制御信号を受信した場合に、前記右目シャッタおよび前記左目シャッタの両方を開くことを特徴とする。
図面の簡単な説明
［０００９］
［図１］本発明の第１実施形態に係る立体画像表示システムの斜視図。
［図２］前記立体画像表示システムの概略構成を示すブロック図。
［図３］前記立体画像表示システムを構成する立体画像表示装置の動作を示すタイミングチャート。
［図４］前記立体画像表示システムを構成する立体画像視認用眼鏡の動作を示すフローチャート。
［図５］本発明の第２実施形態に係る立体画像表示システムの斜視図。
［図６］前記立体画像表示システムの概略構成を示すブロック図。
［図７］前記立体画像表示システムを構成する立体画像表示装置および立体画像視認用眼鏡の動作を示すタイミングチャート。
［図８］本発明の変形例に係る立体画像視認用眼鏡の動作を示すフローチャート。
発明を実施するための形態
［００１０］
［第１実施形態］
まず、本発明の第１実施形態について図面に基づいて説明する。
｛立体画像視認システムの構成｝
図１において、立体画像視認システム１は、左右の視差を有する右目用画像Ｐｍおよび左目用画像Ｐｈを利用してユーザＵに立体画像を視認させる。この立体画像視認システム１は、図１および図２に示すように、ユーザＵが
【手続補正書】
【提出日】平成26年3月20日(2014.3.20)
【手続補正１】
【補正対象書類名】明細書
【補正対象項目名】０００４
【補正方法】変更
【補正の内容】
【０００４】
ところで、近年、表示面が上方を向くテーブル型の表示装置が普及しており、このような表示装置においても、フレームシーケンシャル方式を用いて、ユーザに立体画像を視認させることが考えられる。
しかしながら、このようにフレームシーケンシャル方式で立体画像を表示させる場合において、表示装置を挟んだ対向する位置に立つ２人のユーザが表示面の画像を見ると、以下のような問題が生じる。
すなわち、一方のユーザは、右目で右目用画像を見て、左目で左目用画像を見ることとなる。このため、当該一方のユーザが認識する立体画像の奥行きや凹凸などの立体感は、立体画像で表現したい立体感と一致する。これに対して、他方のユーザは、右目で左目用画像を見て、左目で右目用画像を見ることとなる。このため、当該他方のユーザが認識する立体感は、立体画像で表現したい立体感と逆になってしまう。
【手続補正２】
【補正対象書類名】明細書
【補正対象項目名】００１１
【補正方法】変更
【補正の内容】
【００１１】
立体画像視認用眼鏡２は、ユーザＵの頭部に装着される装着部２１を備える。装着部２１は、ユーザＵの右目と対向する右目シャッタ２２と、左目と対向する左目シャッタ２３と、受光部２４と、シャッタ制御部２５とを備える。
受光部２４は、例えば装着部２１の正面に配置され、シャッタ制御部２５の制御により、立体画像表示装置３が発光する後述する第１赤外線としての前面側赤外線Ｌ１、第２赤外線としての後面側赤外線Ｌ２、第３赤外線としての右面側赤外線Ｌ３、および、第３赤外線としての左面側赤外線Ｌ４を受光する。
シャッタ制御部２５は、前面側赤外線Ｌ１、後面側赤外線Ｌ２、右面側赤外線Ｌ３、および、左面側赤外線Ｌ４を利用して出力される制御信号に基づいて、右目シャッタ２２および左目シャッタ２３の開閉を制御する。
【手続補正３】
【補正対象書類名】明細書
【補正対象項目名】００１７
【補正方法】変更
【補正の内容】
【００１７】
表示制御部３４１は、記憶部３３に記憶された画像データに基づいて、右目用画像Ｐｍおよび左目用画像Ｐｈを交互に表示面３１１に表示させる。ここで、記憶部３３が予め右目用画像Ｐｍおよび左目用画像Ｐｈにそれぞれ対応する画像データを記憶して、当該画像データに基づいて、表示制御部３４１が右目用画像Ｐｍおよび左目用画像Ｐｈを交互に表示させてもよい。また、記憶部３３が記憶する１つの画像に対応する画像データに基づいて、図示しない画像生成部が左右の視差を有する右目用画像Ｐｍおよび左目用画像Ｐｈを生成し、表示制御部３４１が右目用画像Ｐｍおよび左目用画像Ｐｈを交互に表示させてもよい。さらに、表示制御部３４１は、右目用画像Ｐｍおよび左目用画像Ｐｈの切り替えを、例えば１／１２０秒ごとに行う。
なお、表示制御部３４１は、表示面３１１に対して前面部３１３側に位置する前面側ユーザＵ１が立体画像の立体感を正しく認識できるように、前面側ユーザＵ１のための右目用画像Ｐｍおよび左目用画像Ｐｈを表示する。すなわち、凹凸や上下関係あるいは前後関係を有する物体を表す立体画像の右目用画像Ｐｍおよび左目用画像Ｐｈを表示する場合、表示制御部３４１は、前面側ユーザＵ１が物体の凹凸や上下関係あるいは前後関係を正しく認識できるように表示する。また、右目用画像Ｐｍおよび左目用画像Ｐｈは、本発明における、表示面の第１方向側に位置する前面側のユーザのための右目用画像および左目用画像にそれぞれ該当する。
【手続補正４】
【補正対象書類名】明細書
【補正対象項目名】００２３
【補正方法】変更
【補正の内容】
【００２３】
一方で、立体画像表示装置３は、右目用画像Ｐｍ、左目用画像Ｐｈを表示する前に、信号生成部３４３によって前面側制御信号、後面側制御信号、右面側制御信号、および、左面側制御信号を生成する。
具体的に、信号生成部３４３は、右目用画像Ｐｍが表示される時刻Ｔ（Ｎ−１）から時刻Ｔ（Ｎ）の間に、左目シャッタ２３を閉じるとともに右目シャッタ２２を開き、左目用画像Ｐｈが表示される時刻Ｔ（Ｎ）から時刻Ｔ（Ｎ＋１）の間に、左目シャッタ２３を開くとともに右目シャッタ２２を閉じる旨の前面側制御信号を生成する。
また、信号生成部３４３は、右目用画像Ｐｍが表示される時刻Ｔ（Ｎ−１）から時刻Ｔ（Ｎ）の間に、右目シャッタ２２を閉じるとともに左目シャッタ２３を開き、左目用画像Ｐｈが表示される時刻Ｔ（Ｎ）から時刻Ｔ（Ｎ＋１）の間に、右目シャッタ２２を開くとともに左目シャッタ２３を閉じる旨の後面側制御信号を生成する。
さらに、信号生成部３４３は、右目用画像Ｐｍが表示される時刻Ｔ（Ｎ−１）から時刻Ｔ（Ｎ）の間と、左目用画像Ｐｈが表示される時刻Ｔ（Ｎ）から時刻Ｔ（Ｎ＋１）の間との両方、すなわち時刻Ｔ（Ｎ−１）から時刻Ｔ（Ｎ＋１）の間において、右目シャッタ２２および左目シャッタ２３の両方を開く旨の右面側制御信号および左面側制御信号を生成する。
【手続補正５】
【補正対象書類名】明細書
【補正対象項目名】００２７
【補正方法】変更
【補正の内容】
【００２７】
ここで、図１に示すように、第１立体画像視認用眼鏡２Ａを装着した前面側ユーザＵ１が表示面３１１の前面部３１３側に位置している場合、第１立体画像視認用眼鏡２Ａは、ステップＳ２において前面側制御信号を受信する。そして、第１立体画像視認用眼鏡２Ａのシャッタ制御部２５がステップＳ３およびステップＳ４の処理を行うと、前面側ユーザＵ１は、例えば、時刻Ｔ０から時刻Ｔ１の間に表示される右目用画像Ｐｍを右目のみで視認し、時刻Ｔ１から時刻Ｔ２の間に表示される左目用画像Ｐｈを左目のみで視認することとなる。
このため、前面側ユーザＵ１は、例えば時刻Ｔ０〜時刻Ｔ２の間において、飛行機Ｑ２が雲Ｑ１よりも上方に位置する第１立体画像を視認することができ、第１立体映像で表現したい立体感を感じることができる。
【手続補正６】
【補正対象書類名】明細書
【補正対象項目名】００２９
【補正方法】変更
【補正の内容】
【００２９】
ここで、図１に示すように、第２立体画像視認用眼鏡２Ｂを装着した後面側ユーザＵ２が表示面３１１の後面部３１４側に位置している場合、第２立体画像視認用眼鏡２Ｂは、ステップＳ１において後面側制御信号を受信する。そして、第２立体画像視認用眼鏡２Ｂのシャッタ制御部２５がステップＳ６およびステップＳ７の処理を行うと、後面側ユーザＵ２は、例えば、時刻Ｔ０から時刻Ｔ１の間に表示される右目用画像Ｐｍを左目のみで視認し、時刻Ｔ１から時刻Ｔ２の間に表示される左目用画像Ｐｈを右目のみで視認することとなる。すなわち、後面側ユーザＵ２は、前面側ユーザＵ１が右目のみで視認している右目用画像Ｐｍを左目のみで視認し、前面側ユーザＵ１が左目のみで視認している左目用画像Ｐｈを右目のみで視認することとなる。
このため、後面側ユーザＵ２は、例えば時刻Ｔ０〜時刻Ｔ２の間において、前面側ユーザＵ１と同じように飛行機Ｑ２が雲Ｑ１よりも上方に位置する第１立体画像を視認することができ、第１立体映像で表現したい立体感を感じることができる。
【手続補正７】
【補正対象書類名】明細書
【補正対象項目名】００３１
【補正方法】変更
【補正の内容】
【００３１】
すなわち、図１には図示しないが、例えば、立体画像視認用眼鏡２を装着したユーザＵが表示面３１１の右面部３１５側に位置している場合、立体画像視認用眼鏡２は、ステップＳ１において右面側制御信号を受信する。そして、立体画像視認用眼鏡２のシャッタ制御部２５がステップＳ８およびステップＳ９の処理を行うと、ユーザＵは、例えば、時刻Ｔ０から時刻Ｔ１の間に表示される右目用画像Ｐｍを両目で視認し、時刻Ｔ１から時刻Ｔ２の間に表示される左目用画像Ｐｈも両目で視認することとなる。
ここで、表示面３１１の右面部３１５側あるいは左面部３１６側に位置するユーザＵが、右目用画像Ｐｍを右目で視認して左目用画像Ｐｈを左目で視認すると、あるいは、その逆の場合であって、右目用画像Ｐｍを左目で視認して左目用画像Ｐｈを右目で視認すると、右目用画像Ｐｍおよび左目用画像Ｐｈが左右の視差を有するため、第Ｎ立体画像が全く見えなくなってしまうおそれがある。これに対して、本実施形態では、ユーザＵが右目用画像Ｐｍおよび左目用画像Ｐｈの両方を両目で視認するため、第Ｎ立体画像を視認することができる。
【手続補正８】
【補正対象書類名】明細書
【補正対象項目名】００４８
【補正方法】変更
【補正の内容】
【００４８】
一方、ユーザＵに装着された立体画像視認用眼鏡５は、図示しないスイッチの操作を検出すると、前面側制御信号、後面側制御信号、および、切替信号の受信処理を行う。
図５に示すように、第１立体画像視認用眼鏡５Ａを装着した前面側ユーザＵ１が表示面３１１の前面部３１３側に位置している場合、第１立体画像視認用眼鏡５Ａは、切替信号と前面側制御信号とを受信する。そして、第１立体画像視認用眼鏡５Ａのシャッタ制御部５６が、切替信号と、当該切替信号の極性を変更しない旨の前面側制御信号とに基づいて、右目シャッタ２２および左目シャッタ２３を制御する。このような制御が行われることにより、前面側ユーザＵ１は、右目用画像Ｐｍを右目のみで視認し、左目用画像Ｐｈを左目のみで視認することとなる。
このため、前面側ユーザＵ１は、飛行機Ｑ２が雲Ｑ１よりも上方に位置する第Ｎ立体画像を視認することができ、第Ｎ立体映像で表現したい立体感を感じることができる。
【手続補正９】
【補正対象書類名】明細書
【補正対象項目名】００５０
【補正方法】変更
【補正の内容】
【００５０】
｛立体画像システムの作用効果｝
上述したような第２実施形態では、以下のような作用効果を奏することができる。
（３）立体画像表示装置３Ａは、上方を向く表示面３１１が右目用画像Ｐｍを表示するタイミングで左目シャッタ２３のみを閉じ、左目用画像Ｐｈを表示するタイミングで右目シャッタ２２のみを閉じる旨の切替信号を生成する。さらに、立体画像表示装置３Ａは、切替信号の極性を変更しない旨の前面側制御信号と、当該極性を変更する旨の後面側制御信号とを生成する。そして、立体画像表示装置３Ａは、前面部３１３から出射する前面側赤外線Ｌ１を利用して前面側制御信号を出力し、表示面３１１の平面視において前面側赤外線Ｌ１１と反対方向に出射する後面側赤外線Ｌ１２を利用して後面側制御信号を出力する。さらに、立体画像表示装置３Ａは、電波Ｅを利用して切替信号を出力する。そして、立体画像表示装置３Ａは、表示面３１１に右目用画像Ｐｍと左目用画像Ｐｈとを交互に表示する。
このため、表示面３１１の前面部３１３側に位置する前面側ユーザＵ１は、右目用画像Ｐｍを右目のみで視認し、左目用画像Ｐｈを左目のみで視認することができる。また、後面部３１４側に位置する後面側ユーザＵ２は、右目用画像Ｐｍを左目のみで視認し、左目用画像Ｐｈを右目のみで視認することができる。したがって、前面側ユーザＵ１と後面側ユーザＵ２とが表示面３１１を挟んで対向する位置から、表示面３１１を視認するような場合であっても、前面側ユーザＵ１および後面側ユーザＵ２の両者は、第Ｎ立体画像が表現したい立体感を感じることができる。
特に、立体画像視認用眼鏡５は、立体画像表示装置３Ａから出力される前面側制御信号、後面側制御信号、切替信号に基づき、右目シャッタ２２と左目シャッタ２３との開閉を制御するだけの構成としている。このため、例えば、前面側ユーザＵ１が前面部３１３側から後面部３１４側に移動したとしても、前面側ユーザＵ１は、第１立体画像視認用眼鏡５Ａを装着したままで第Ｎ立体画像が表現したい立体感を感じることができる。
【手続補正１０】
【補正対象書類名】明細書
【補正対象項目名】００５２
【補正方法】変更
【補正の内容】
【００５２】
また、第１実施形態の立体画像表示装置３に、右面側発光部３２３と左面側発光部３２４を設けない構成とし、信号生成部３４３に、右面側制御信号と左面側制御信号とを生成する機能を設けない構成とし、立体画像視認用眼鏡２のシャッタ制御部２５に、前面側制御信号および後面側制御信号の両方を受信できないタイミングで、右目シャッタ２２と左目シャッタ２３との両方を開く機能を設けた構成としてもよい。
このような構成の場合、立体画像表示装置３は、図４に示すような、右目用画像Ｐｍと左目用画像Ｐｈの表示処理と、前面側制御信号および後面側制御信号の出力処理とを行うが、右面側制御信号および左面側制御信号の出力処理を行わない。このため、表示面３１１の右面部３１５側および左面部３１６側に位置するユーザＵの立体画像視認用眼鏡２は、制御信号を受信できないこととなる。
一方で、ユーザＵの立体画像視認用眼鏡２は、図８に示すように、ステップＳ１の処理後に、制御信号を受信できたか否かを判断する（ステップＳ１１）。そして、立体画像視認用眼鏡２は、ステップＳ１１において、前面側制御信号および後面側制御信号の両方を受信できないと判断すると、ステップＳ８およびステップＳ９の処理を行い、右目用画像Ｐｍおよび左目用画像Ｐｈの両方が表示されるタイミングで右目シャッタ２２および左目シャッタ２３を開く。すなわち、ユーザＵが表示面３１１の右面部３１５側または左面部３１６側に位置する場合、立体画像表示装置３が右面側発光部３２３および左面側発光部３２４を有していなくても、立体画像視認用眼鏡２は、上記実施形態と同様のステップＳ８およびステップＳ９の処理を行うことができる。
また、立体画像視認用眼鏡２は、ステップＳ１１において、制御信号を受信できたと判定した場合、ステップＳ２の処理を行う。そして、立体画像視認用眼鏡２は、ステップＳ２において、前面側制御信号を受信できたと判断すると，ステップＳ３およびステップＳ４の処理を行い、前面側制御信号を受信していないと判断すると、すなわち、後面側制御信号を受信したと判断すると、ステップＳ６およびステップＳ７の処理を行う。
【国際調査報告】
2013057818.tif 000011
2013057818.tif 000012
2013057818.tif 000013